(57)【特許請求の範囲】
【請求項１】
アームレスト基材の表面に表皮材を被覆した自動車用のアームレストにおいて、
前記アームレスト基材の上面の幅狭の外側端部を下方に折り曲げて折曲片を形成し、この折曲片に対応する前記表皮材の裏面に上向き開口した断面がコ字形状の一対の対向片を有した位置決め部材を固定し、
前記位置決め部材の一対の前記対向片間に前記折曲片を上方から挿入嵌合させることにより前記折曲片を位置決めさせてから、この嵌合した場所を起点として前記アームレスト基材に前記表皮材を被覆することを特徴とする自動車用のアームレスト。
【発明の詳細な説明】
【技術分野】
【０００１】
本発明は、アームレスト基材の表面に表皮材を被覆した自動車用のアームレストに関するものである。
【背景技術】
【０００２】
この種の自動車用のアームレストは、所要形状に裁断した表皮材を基材の表面に載置して、この表皮材を基材の裏側に巻込みながら接着剤を塗布して接着固定して製造する方法が提案されている（例えば、文献１参照）。
【先行技術文献】
【特許文献】
【０００３】
【特許文献１】特開平９−９４３６２公報
【発明の概要】
【発明が解決しようとする課題】
【０００４】
しかしながら、製造するに当り、表皮材を基材に対して正確に位置決めしにくいし、表皮材の周縁部を基材の裏側に巻込む際に基材の角部や湾曲部において皺が発生し易いという問題があり、この巻込み作業は熟練を要するものであった。
【０００５】
そこで本発明は、表皮材のアームレスト基材への被覆作業を容易にして熟練を要しないものとすることを目的とする。
【課題を解決するための手段】
【０００６】
このため本発明は、アームレスト基材の表面に表皮材を被覆した自動車用のアームレストにおいて、
前記アームレスト基材の上面の幅狭の外側端部を下方に折り曲げて折曲片を形成し、この折曲片に対応する前記表皮材の裏面に上向き開口した断面がコ字形状の一対の対向片を有した位置決め部材を固定し、
前記位置決め部材の一対の前記対向片間に前記折曲片を上方から挿入嵌合させることにより前記折曲片を位置決めさせてから、この嵌合した場所を起点として前記アームレスト基材に前記表皮材を被覆することを特徴とする。
【発明の効果】
【００１０】
本発明によれば、表皮材のアームレスト基材への被覆作業を容易にして熟練を要しないものとすることができる。
【図面の簡単な説明】
【００１１】
【図１】自動車のドア裏面を車室側から見た斜視図である。
【図２】アームレスト基材及び表皮材の斜視図である。
【図３】アームレスト基材２に表皮材３を取付けた状態の斜視図である。
【図４】図３のＡ−Ａ断面図である。
【発明を実施するための形態】
【００１２】
以下、本発明の実施形態について、図１乃至図４に基づいて説明する。先ず、図１は右側の運転者用のアームレスト１が取付けられた自動車のドア裏面を車室側から見た斜視図、図２はポリプロピレン等の合成樹脂製のアームレスト基材２及びこのアームレスト基材２に被覆する表皮材３の斜視図、図３はアームレスト基材２に表皮材３を取付けた状態の斜視図、図４は図３のＡ−Ａ断面図である。
【００１３】
そして、自動車用ドアトリム５の内側に前記アームレスト１が取り付けられるが、このアームレスト１の前部の開口部には、パワーウィンドを昇降させるスイッチ４が組み込まれたスイッチパネル６が取付けられる。
【００１４】
図２において、前記アームレスト基材２は、概ね平面視すると、前方に向けて幅狭となっており、上面２Ａと側面（ドアの内方の空間に面する）２Ｂと底面２Ｃとから構成される。そして、前記アームレスト基材２の上面２Ａは、後部の運転者の肘掛用の大きな水平面を備えた平面部２Ｄと、この平面部２Ｄの前方に連通して前記平面部２Ｄより幅狭な幅狭部２Ｅと、この幅狭部２Ｅの前方に連通したスイッチパネル取付部２Ｆとが形成されている。即ち、前部のスイッチパネル取付部２Ｆと後部の平面部２Ｄとの前後方向における中間位置に、幅狭部２Ｅが形成される。
【００１５】
前記取付部２Ｆは前記幅狭部２Ｅより前方へ向けて緩やかに下降した幅狭となっており、この取付部２Ｆ上に前記スイッチパネル６が取付けられると、平面部２Ｄ、幅狭部２Ｅ及びスイッチパネル６とが略同一の面一となる。
【００１６】
なお、前記幅狭部２Ｅは、外側端部が概ね直線状を呈する水平面２Ｅ１と、この水平面２Ｅ１を下方へ折曲げた折曲片２Ｅ２とが形成されている。前記アームレスト基材２の側面２Ｂと底面２Ｃには、前記表皮材３を取付け固定するため及びアームレスト１を自動車用ドアトリム５の内側に取付け固定するために外方へ向けて突設した複数の取付用突部７Ａが、またアームレスト１を自動車用ドアトリム５の内側に取付け固定するために外方へ向けて突設した取付用突部７Ｂが一体に形成されている。
【００１７】
前記表皮材３も概ね平面視すると、前方に向けて幅狭となっており、前記アームレスト基材２の表面に被覆され、アームレスト基材２の表面よりも十分大きく、上面３Ａと側面（ドアの内方の空間に面する）３Ｂと底面３Ｃとから構成される。この上面３Ａと側面３Ｂとは、縫製されて連結されている。
【００１８】
前記表皮材３の上面３Ａは、後部の大きな水平面を備えた平面部３Ｄと、この平面部３Ｄの前方に連通して前記平面部３Ｄより幅狭な幅狭部３Ｅと、この幅狭部３Ｅの前方に連通したスイッチパネル取付部３Ｆとが形成されている。
【００１９】
そして、前記表皮材３の幅狭部３Ｅは、外側端部が概ね直線状を呈する水平面３Ｅ１と、この水平面３Ｅ１を下方へ折曲げた第１折曲片３Ｅ２と、この第１折曲片３Ｅ２を後方へ折曲げた第２折曲片３Ｅ３と、更に第２折曲片３Ｅ３を上方へ折曲げた第３折曲片３Ｅ４が形成されており、この第３折曲片３Ｅ４の裏面には、内方の対向片９Ａが外方の対向片９Ｂより長い縦断面がコ字形状の硬質の合成樹脂製の位置決め固定片（位置決め部材）９が縫製されて（縫製部１１）固定される。
【００２０】
即ち、図４に示すように、上向きに開口した第３折曲片３Ｅ４の裏面に固定された位置決め固定片９は、第１折曲片３Ｅ２、第２折曲片３Ｅ３及び第３折曲片３Ｅ４の内側に接触するように配設されることとなる。
【００２１】
なお、位置決め固定片９の対向片９Ａと９Ｂとの間隔は、前記アームレスト基材２の折曲片２Ｅ２の厚さより、少し広い。
【００２２】
そして、表皮材３の上面３Ａと底面３Ｃの周縁部８には各取付用突部７Ａが挿入される複数の取付孔１０が形成され、各取付用突部７Ａが各取付孔１０に挿入されると、アームレスト基材２に表皮材３が固定されることとなる。
【００２３】
次に、前記アームレスト基材２に表皮材３を取り付ける動作について説明すると、図２に示すように、先ず前記表皮材３の幅狭部３Ｅを、第１折曲片３Ｅ２、第２折曲片３Ｅ３及び第３折曲片３Ｅ４が上方へ向くように、ひっくり返す（図２参照）。
【００２４】
そして、アームレスト基材２と表皮材３と近づけて、前述したようなひっくり返した状態から元に戻すようにして、以後の表皮材３のアームレスト基材２への被覆動作が簡単になるように、前記位置決め固定片９の両対向片９Ａ、９Ｂ間に前記アームレスト基材２の前記折曲片２Ｅ２を上方から嵌合（挿入）させて係止させる。
【００２５】
そして、前記位置決め固定片９の両対向片９Ａ、９Ｂ間に前記折曲片２Ｅ２を挿入嵌合させた後に、この嵌合した場所を起点として、表皮材３に皺が発生しないように、この表皮材３をアームレスト基材２に被覆させる。
【００２６】
即ち、表皮材３に皺が発生しないように、表皮材３を引っ張りながら、アームレスト基材２に表皮材３を被覆して、表皮材３の上面３Ａと底面３Ｃの周縁部８を巻込んで前記アームレスト基材２の各取付用突部７Ａを前記周縁部８の各取付孔１０にそれぞれ挿入させて、アームレスト基材２に表皮材３を被覆して固定する。
【００２７】
次に、アームレスト基材２に表皮材３を被覆させた状態で、表皮材３の上面３Ａと底面３Ｃの周縁部８において、表皮材３のアームレスト基材２への固定を、タッカー（図示せず）で止めて行う。この場合、各取付用突部７Ａ相互間において、タッカーで適宜固定する。この表皮材３のアームレスト基材２への固定をタッカーで行う代わりに、他の固定手段で行ってもよい。
【００２８】
以上のようにして、表皮材３をアームレスト基材２へ固定し、スイッチ４が組み込まれたスイッチパネル６をアームレスト１の前部の開口部に取付けた状態で、自動車用ドアトリム５の内側に前記各取付用突部７Ａ、７Ｂを介して、このアームレスト１を取り付ける。
【００２９】
そして、前記アームレスト基材２の幅狭部２Ｅに前記表皮材３の幅狭部３Ｅが被覆することにより、手掛け部１２が形成され、自動車用ドアトリム５の内側にアームレスト１が取り付けられると、車体側の手掛け部材１３と共にドアの開閉用に供されることとなる。
【００３０】
以上のように、表皮材３の巻込み作業を容易にして熟練を要しないものとすると共に、接着剤を使用しなくとも済むようにして環境に優しい自動車用のアームレスト１を提供することができる。
【００３１】
以上本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【符号の説明】
【００３２】
１          アームレスト
２          アームレスト基材
２Ｅ        幅狭部
３          表皮材
３Ｅ        幅狭部
３Ｅ２      第１折曲片
３Ｅ３      第２折曲片
３Ｅ４      第３折曲片
７Ａ        取付用突部
８          周縁部
９          位置決め固定片
９Ａ、９Ｂ  対向片
１０        取付孔
１２        手掛け部
【図１】
0005618320.tif 000002
【図２】
0005618320.tif 000003
【図３】
0005618320.tif 000004
【図４】
0005618320.tif 000005